(57)【特許請求の範囲】
【請求項１】
音量を調整する電子ボリウムと、前記電子ボリウムの出力をミュート／アンミュートする動作を行うミューティング部と、前記電子ボリウム及び前記ミューティング部を制御する制御手段とを備えたＰＬＬ方式受信機であって、前記制御手段は、オーディオギャップの終わりにおいて、受信チャンネルの切換開始時に前記ミューティング部の動作をミュートからアンミュートに変更させ、前記ミューティング部の動作をミュートからアンミュートに変更させた時点から、前記電子ボリウムの出力レベルを、ゼロから前記オーディオギャップ開始時の出力レベルまで段階的に変化させ、受信チャンネル切換時の受信検波出力が安定した後に、前記オーディオギャップ開始時の出力レベルになるように制御することを特徴とする受信機。
【発明の詳細な説明】
【０００１】
【発明の属する技術分野】
本発明は受信機に関する。
【０００２】
【従来の技術】
図５は、従来の受信機の一例を示すブロック図である。図５の受信機は、例えば優先スキャン（Ｐｒｉｏｒｉｔｙ  Ｓｃａｎ）機能付きＰＬＬ方式業務無線受信機であり、１はアンテナ、２は受信部、３はＰＬＬ（フェーズロックドループ）部、４はミューティング部、５はオーディオアンプ部、６はスピーカ、７はマイクロプロセッサである。マイクロプロセッサ７は、ＰＬＬ部３とミューティング部４の各動作を制御している。
【０００３】
図５に示す受信機では、スキャン中、通常ＣＨ（チャンネル）で受信しているときも、一定のインターバルで、優先チャンネル（Ｐｒｉｏｒｉｔｙ  ＣＨ）をウォッチにいく。このウォッチの期間（数１００ミリ秒間）中、通常ＣＨの会話（受信音）が途切れ、この受信音が途切れている期間はオーディオギャップと呼ばれる。
【０００４】
図６は、オーディオギャップを説明するための受信信号波形図である。図６に示すように、ある通常ＣＨで受信中の受信音が優先ＣＨのウォッチ期間中途切れてオーディオギャップを生じ、その後優先ＣＨから再び通常ＣＨでの受信に切り替わって受信音が得られる。
【０００５】
このように、優先ＣＨから再び通常ＣＨでの受信に切り替わる際に、周波数の安定いわゆるＰＬＬ部３が安定するまでの期間、受信部２における検波出力が変動し、図６に示すように受信音のあばれが生じ、スピーカ６からポップノイズとして聞こえてしまう。そこで、マイクロプロセッサ７の制御により、ＰＬＬ部３が安定するまでミューティング部４をミュート動作するように制御し、スピーカ６からポップノイズが聞こえないようにしている。マイクロプロセッサ７は、ミューティング部４の動作をミュートからアンミュートになるように制御して、受信音がスピーカ６から聞こえるようにしている。
【０００６】
【発明が解決しようとする課題】
しかしながら、オーディオギャップを長めに設定して安定な検波出力が得られるようにすると、ポップノイズは抑えられるが、受信音の途切れがユーザーにわかってしまう虞れがある。
そこで、オーディオギャップは短いほど良いが、受信ＣＨを切り替えているので、ＰＬＬ部３が安定する前にミューティング部４の動作をミュートからアンミュートにすると、スピーカ６からポップノイズが聞こえてしまう。
このように、従来の受信機構成では、安定な検波出力を待つとオーディオギャップが長くなり、早目にアンミュートするとポップノイズが目立ってしまうという不具合が生じていた。
【０００７】
本発明の目的は、上記の不具合を解決した受信機を提供することにある。
【０００８】
【課題を解決するための手段】
本発明による受信機は、請求項１に記載のように、音量を調整する電子ボリウムと、前記電子ボリウムの出力をミュート／アンミュートする動作を行うミューティング部と、前記電子ボリウム及び前記ミューティング部を制御する制御手段とを備えたＰＬＬ方式受信機であって、前記制御手段は、オーディオギャップの終わりにおいて、受信チャンネルの切換開始時に前記ミューティング部の動作をミュートからアンミュートに変更させ、前記ミューティング部の動作をミュートからアンミュートに変更させた時点から、前記電子ボリウムの出力レベルを、ゼロから前記オーディオギャップ開始時の出力レベルまで段階的に変化させ、受信チャンネル切換時の受信検波出力が安定した後に、前記オーディオギャップ開始時の出力レベルになるように制御することを特徴とする。
【０００９】
【発明の実施の形態】
図１は、本発明による受信機の一実施例を示すブロック図である。図１の受信機は、図５に示す従来例と同様に優先スキャン機能付きＰＬＬ方式業務無線受信機であり、１はアンテナ、２は受信部、３はＰＬＬ部、４はミューティング部、５はオーディオアンプ部、６はスピーカ、７はマイクロプロセッサ、８は電子ボリウム（ＶＲ）、９はボリウムスイッチ（ＳＷ）である。
【００１０】
マイクロプロセッサ７は、ＰＬＬ部３とミューティング部４と電子ＶＲ８の各動作を制御している。
電子ＶＲ８の音量調整方法は、電圧源ＶＤＤと接地間に接続された可変抵抗からなるボリウムスイッチ（機械的ＳＷ）９からの可変電圧をマイクロプロセッサ７のＡ／Ｄポートから取り込み、その電圧値に基づいてマイクロプロセッサ７が電子ＶＲ８を制御してボリウムレベルを決めている。マイクロプロセッサ７に一度ボリウムレベルを取り込む理由は、ボリウムＳＷ９の可変位置に関係なく、ボリウムレベルを一定にする機能があるためである。
【００１１】
本発明の特徴は、図１の構成において、優先スキャン中に、ミューティング部４のミュート／アンミュート動作と電子ＶＲ８の音量調整動作とを組み合わせるようにマイクロプロセッサ７で制御することにより、ポップノイズを減少しつつ、早目にミュートを解除する（アンミュートする）ものである。マイクロプロセッサ７は、ミューティング部４のアンミュート時、電子ＶＲ８のボリウムを一気に開くのではなく段階的に開放することにより、ポップノイズを吸収しつつ、早めにミュートを開くことができる。
【００１２】
すなわち、通常ＣＨを受信中、電子ＶＲ８は、ユーザーがボリウムＳＷ９を切り替えた可変電圧がマイクロプロセッサ７に与えられることによって、スピーカ６より適当な音量で聞こえるように所定のボリウムレベルに調整されている。
次に、優先スキャン時、オーディオギャップの期間の始めに、マイクロプロセッサ７はミューティング部４をミュート動作するように制御し、スピーカ６からノイズが聞こえないようにする。
【００１３】
次いで、オーディオギャップの終わりごろに、マイクロプロセッサ７は、ミューティング部４をアンミュート動作するように制御すると同時に、電子ＶＲ８のボリウムレベルをゼロから前記所定のボリウムレベルまで段階的に変化するように制御する。
その後、受信部２の検波出力が安定するころには、電子ＶＲ８が前記所定のボリウムレベルに復帰しておりかつミューティング部４がアンミュートになっているので、ユーザーは再びスピーカ６から適当な音量で受信音を聞くことができる。
【００１４】
図２は電子ＶＲ８のボリウム出力レベル特性の一例であり、レベルゼロから段階的に目標値（元のボリウムレベル）に至る様子を示している。電子ＶＲ８のボリウム出力レベルを段階的に可変する時間は、具体的には、約１５ミリ秒程度で、その１５ミリ秒を６分割して約２．５ミリ秒毎にボリウムレベルを変えている。この電子ＶＲ８の１５ミリ秒間の段階的可変は、図６のあばれの開始時にレベルゼロからスタートし、ＰＬＬ部３の安定に要する（あばれがなくなる）１０ミリ秒を過ぎてなお５ミリ秒間オーバーラップするようになっている。
電子ＶＲ８のボリウム出力レベル可変値の決め方は、実際の本来出力すべきボリウムレベル×テーブルデータ（マイクロプロセッサ７の内部メモリに予め格納している）の乗算値を出力している。このテーブルデータは、例えば０．１，０．２，０．３，０．４．１，１の６データであり、図３に示すように、それぞれ、マイクロプロセッサ７の内部カウンタ値１〜６に対応して内部メモリに格納されている。テーブルデータの値は１以下のため、乗算値は元のボリウムレベルより小さい値となる。
【００１５】
次に、上述した電子ＶＲ８のボリウム出力レベルを段階的に可変する方法を図４に示すフローチャートに基づいて説明する。
まずステップＳ１で、マイクロプロセッサ７の内部カウンタは１か否かを判定し、ノーならばＳ２に進み、ボリウムレベル×テーブルデータ＝Ｄ／Ａボリウムレベルアウトの計算を行い、次いでＳ３で、カウンタ値を１だけデクリメントし、次いでＳ１に戻り、以下同様の作業を行い、Ｓ１でカウンタが１であることが判定された段階で作業を終了する。
【００１６】
したがって、ステップＳ１〜Ｓ３の作業により、まずカウンタ値「６」に対応するテーブルデータ「０．１］が元のボリウムレベルに乗算された乗算値が電子ＶＲ８のＤ／Ａ変換後のボリウム出力レベルになり、次いでカウンタ値「５」に対応するテーブルデータ「０．２］が元のボリウムレベルに乗算された乗算値が電子ＶＲ８のＤ／Ａ変換後のボリウム出力レベルになり、以下同様にして、最後に、カウンタ値「１」に対応するテーブルデータ「１］が元のボリウムレベルに乗算された乗算値が電子ＶＲ８のＤ／Ａ変換後のボリウム出力レベルになり、その結果、総合的に電子ＶＲ８のボリウム出力レベルは段階的に変化することになる。
【００１７】
段階のカーブは、マイクロプロセッサ７のプログラムソフトで設定することができ、カウンタ値の個数及びテーブルデータの内容を変えることによって、リニア風、指数風、対数風、オリジナル等、自在に設定することが可能である。
また、無線機はパソコンソフトを使い、機能を設定できるが、同様に、電子ＶＲの値もパソコンソフトを用いてプログラムを変えることができる。
【００１８】
このように、優先スキャン機能で通常ＣＨ受信中、ＰＬＬ回路の暴れが残る場合でも、オーディオギャップ時間をそれほど犠牲にしないで、ポップノイズを吸収することができ、ポップノイズの吸収を含めたオーディオギャップの実使用動作の改善がなされる。
【００１９】
【実施例】
以上、本発明の実施の形態について説明したが、本発明はこれに限らず種々の変形応用が可能である。例えば、電子ＶＲを通過している信号であれば、下記のどのようなものにも応用可能である。
（１）優先スキャン中だけでなく、ＣＨ変更時も使用可能である。
（２）アンミュート時だけでなく、ミュート時でも段階的に可能である。
（３）送信の変調系にも応用可能である。
（４）ポップノイズが減ることは、スピーカ使用者に限らず、イヤホン使用者にとっても効果大である。
【００２０】
【発明の効果】
本発明によれば、ポップノイズの吸収を含めたオーディオギャップの実使用動作の改善がなされる。
【図面の簡単な説明】
【図１】本発明による受信機の一実施例を示すブロック図である。
【図２】図１における電子ＶＲのボリウム出力レベル特性の一例を示す。
【図３】図１におけるマイクロプロセッサの内部カウンタ値と対応するテーブルデータ値を示す図である。
【図４】図１における電子ＶＲのボリウム出力レベル計算処理を説明するフローチャートである。
【図５】従来の受信機の一例を示すブロック図である。
【図６】オーディオギャップを説明するための受信信号波形図である。
【符号の説明】
１  アンテナ
２  受信部
３  ＰＬＬ部
４  ミューティング部
５  オーディオアンプ部
６  スピーカ
７  マイクロプロセッサ
８  電子ボリウム（ＶＲ）
９  ボリウムスイッチ（ＳＷ）
【図１】
0003585089.tif 000002
【図２】
0003585089.tif 000003
【図３】
0003585089.tif 000004
【図４】
0003585089.tif 000005
【図５】
0003585089.tif 000006
【図６】
0003585089.tif 000007